(57)【要約】      （修正有）【課題】ラチェット内部に回転可能な当接構造を有するラチェットを提供する。【解決手段】枠体１０と、ラチェット部材２０と、ソケット固定部材３０と、を有し、そのうち、枠体は、内部に固定空間１１が形成され、ラチェット部材は、固定空間に取り付けられ、歯面部を備え、固定部材は、ラチェット部材に嵌め込まれるように枠体に貫設され、ソケット位置決めユニットと、回動ユニットと、切り替えユニットと、爪ブロックとを備え、ソケット位置決めユニットは、枠体の固定空間に設置され、回動ユニットは、回転可能にソケット位置決めユニット挿設され、切り替えユニットは、回動ユニットに嵌め込まれると共に、チューブと、ばねと、ボールとを備え、ばねは、回動ユニットに当接するようにチューブに収容され、ボールは、回転可能にチューブのばねと反対する端に設置され、爪ブロックは、ソケット位置決めユニットに枢設され、一側面が切り替えユニットのボールに当接されると共に、一端がラチェット部材の歯面部に係合される。【選択図】図１
0003198017.tif 000002
【実用新案登録請求の範囲】
【請求項１】
枠体と、ラチェット部材と、固定部材と、を有し、
そのうち前記枠体は、中空状を呈し、内部に固定空間が形成されると共に、相対する両側に前記固定空間と連通する組立開口が形成され、
前記ラチェット部材は、前記固定空間に取り付けられると共に、歯面部を備え、
前記固定部材は、水平方向に沿って前記ラチェット部材に嵌め込まれるように前記枠体に貫設されると共に、ソケット位置決めユニットと、回動ユニットと、切り替えユニットと、爪ブロックとを備え、そのうち前記ソケット位置決めユニットは、一端が前記組立開口から突出するように、前記枠体の固定空間に設置され、該回動ユニットは、回転可能に前記ソケット位置決めユニットに挿設されると共に、一端面に回転ロッドが凸設され、該回転ロッドの外周面に収容穴が径方向に形成され、該切り替えユニットは、前記回動ユニットの収容穴に嵌め込まれると共に、チューブと、ばねと、ボールとを備え、該ばねは、一端が前記回転ロッドに当接するように前記チューブに収容され、該ボールは、回転可能に前記チューブのばねと反対する端に設置され、該爪ブロックは、前記ソケット位置決めユニットに枢設され、一側面が前記切り替えユニットのボールに当接されると共に、一端が前記ラチェット部材の歯面部に係合されることを特徴とする回転可能な当接構造を有するラチェット。
【請求項２】
前記チューブにおけるばね凹部と反対する端にボール凹部が凹設され、該ボール凹部に前記ボールが回転可能に設置されることを特徴とする請求項１に記載の回転可能な当接構造を有するラチェット。
【請求項３】
前記ソケット位置決めユニットは、段差状且つ円柱状の回転軸を備え、該回転軸の一端中心に挿設穴が形成され、
前記回動ユニットは、前記回転ロッドの一端に回転盤体が設けられ、該回転盤体が回転可能に回転軸に当接され、該回転ロッドは、中空状の円柱体であり、一端が前記ソケット位置決めユニットの挿設穴に挿設されることを特徴とする請求項１または２に記載の回転可能な当接構造を有するラチェット。
【請求項４】
前記ソケット位置決めユニットの回転軸の外周面に収容空間が形成され、該回転軸に枢転ロッドが貫設され、
前記爪ブロックは、前記収容空間に位置するように、揺動可能に前記枢転ロッドに枢設されることを特徴とする請求項３に記載の回転可能な当接構造を有するラチェット。
【考案の詳細な説明】
【技術分野】
【０００１】
本考案は、特にラチェットの内部に回転可能な当接構造を有するラチェットに関するものである。
【背景技術】
【０００２】
従来のラチェットレンチを使用する時は、ラチェットレンチの一端にソケットを取り付け、使用者が片手でラチェットレンチのグリップ部を握って回転させると、ナットまたはボルトを締め続けることができるので、逆方向に回転させる必要はない。また、図５に示すように、従来のラチェットレンチの内部におけるラチェット部材は、一体に成形された切り替えユニット６０を備え、該切り替えユニット６０は、前端に半円形に設けられると共に、ラチェット部材の回動方向を切り替えるために、回動部材の内部に取り付けられる。その切り替えユニット６０を切り替えてラチェットレンチの回転方向を変わる場合に、その切り替えユニット６０が半円形の前端を介して回動部材に当接することによって、その半円形の前端が摩損しやすいことから、該半円形の前端を摩損して徐々に平坦状となり、切り替えユニット６０が回動部材に当接しても穏やかに係合することができなくなってしまう。
【考案の概要】
【考案が解決しようとする課題】
【０００３】
従来のラチェットレンチを使用する時は、その切り替えユニットが前端の半円形部分を用いて頻繁に且つ長時間に亘り回動部材に当接することから、前端の半円形部分が摩損して徐々に平坦状となり、回動方向の切り替えまたは係合の効果が低下するので、改善する必要があった。
【課題を解決するための手段】
【０００４】
本考案に係る回転可能な当接構造を有するラチェットは、枠体と、ラチェット部材と、固定部材と、を有し、
そのうち、枠体は、中空状を呈し、内部に固定空間が形成されると共に、相対する両側に固定空間と連通する組立開口が形成され、
前記ラチェット部材は、固定空間に取り付けられると共に、歯面部を備え、
前記固定部材は、水平方向に沿って前記ラチェット部材に嵌め込まれるように枠体に貫設されると共に、ソケット位置決めユニットと、回動ユニットと、切り替えユニットと、爪ブロックとを備え、そのうちソケット位置決めユニットは、一端が組立開口から突出するように、枠体の固定空間に設置され、該回動ユニットは、回転可能にソケット位置決めユニット挿設されると共に、一端面に回転ロッドが凸設され、該回転ロッドの外周面に収容穴が径方向に形成され、該切り替えユニットは、回動ユニットの収容穴に嵌め込まれると共に、チューブと、ばねと、ボールとを備え、該ばねは、一端が回転ロッドに当接するようにチューブに収容され、該ボールは、回転可能にチューブのばねと反対する端に設置され、該爪ブロックは、ソケット位置決めユニットに枢設され、一側面が切り替えユニットのボールに当接されると共に、一端がラチェット部材の歯面部に係合されるものである。
【０００５】
かかる回転可能な当接構造を有するラチェットにおいて、前記チューブにおけるばね凹部と反対する端にボール凹部が凹設され、該ボール凹部に前記ボールが回転可能に設置されることが好ましい。
【０００６】
かかる回転可能な当接構造を有するラチェットにおいて、前記ソケット位置決めユニットは、段差状且つ円柱状の回転軸を備え、該回転軸の一端中心に挿設穴が形成され、
前記回動ユニットは、回転ロッドの一端に回転盤体が設けられ、該回転盤体が回転可能に回転軸に当接され、該回転ロッドは、中空状の円柱体であり、一端がソケット位置決めユニットの挿設穴に挿設されることが好ましい。
【０００７】
かかる回転可能な当接構造を有するラチェットにおいて、前記ソケット位置決めユニットの回転軸の外周面に収容空間が形成され、該回転軸に枢転ロッドが貫設され、
前記爪ブロックは、収容空間に位置するように、揺動可能に枢転ロッドに枢設されることが好ましい。
【考案の効果】
【０００８】
本考案に係る回転可能な当接構造を有するラチェットによれば、ソケット固定部材の切り替えユニットに回転可能なボールが設置され、そのボールは、回転自在に爪ブロックの内側面に当接すると共に、所定の箇所に当接して、摩損することはないので、切り替えユニットの使用寿命の延長に繋がる。また、その切り替えユニットのボールが爪ブロックの内側面との接触による摩擦により摩損したとしても、単に新たなボールに交換すればよく、ソケット固定部材全体を交換する必要はない。
【図面の簡単な説明】
【０００９】
【図１】本考案に係る回転可能な当接構造を有するラチェットの分解斜視図である。
【図２】本考案に係る回転可能な当接構造を有するラチェットの部分分解斜視図である。
【図３】本考案に係る回転可能な当接構造を有するラチェットの断面図である。
【図４】本考案に係る回転可能な当接構造を有するラチェットにおける他の断面図である。
【図５】従来のラチェットレンチのラチェット部材の部分分解斜視図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１乃至図３に示すように、本考案に係る回転可能な当接構造を有するラチェットは、枠体１０と、ラチェット部材２０と、ソケット固定部材３０とを有する。
【００１２】
図１及び図２に示すように、前記枠体１０は、中空状を呈し、内部に固定空間１１が形成されると共に、上部に上部開口が形成され、該開口をカバーするために止め蓋１２が着脱可能に取り付けられ、固定空間１１と連通するように、該枠体１０の相対する両側に、前面及び後面を貫通する組立開口１３が形成される。
【００１３】
図１及び図２位示すように、前記ラチェット部材２０は、枠体１０の上部開口から固定空間１１に取り付けられ、内周面に円環状の歯面部２１が形成される。
【００１４】
図２及び図３に示すように、前記ソケット固定部材３０は、水平方向、すなわち、前後方向に沿ってラチェット部材２０に嵌め込まれるように枠体１０に貫設されると共に、ソケット位置決めユニット３１と、回動ユニット３２と、切り替えユニット３３と、爪ブロック３４とを備え、そのうちソケット位置決めユニット３１は、一端が組立開口１３から突出するように、枠体１０の固定空間１１に設置されると共に、段差状且つ円柱状の回転軸３１１を備え、該回転軸３１１の一端中心に挿設穴３１２が形成され、該挿設穴３１２は、止まり穴のタイプであり、該回転軸３１１の外周面に半円形の収容空間３１３が凹設され、該回転軸３１１の中心に挿設穴３１２及び収容空間３１３と連通する連通穴３１４が形成され、該収容空間３１３に位置しながら回転軸３１１の端面の挿設穴３１２の一側から突出する枢転ロッド３１５が貫設され、該回転軸３１１の挿設穴３１２と反対する端にソケット結合部３１６が凸設される。
【００１５】
前記回動ユニット３２は、回転盤体３２１を備え、該回転盤体３２１の後端面の中心に回転ロッド３２２が一体に形成され、該回転ロッド３２２は、中空状の円柱体であり、外周面に収容穴３２３が径方向に形成される。尚、その回動ユニット３２を取り付ける時は、回転ロッド３２２の一端をソケット位置決めユニット３１の挿設穴３１２に挿設すると共に、回転盤体３２１を回転可能に回転軸３１１の端面に当接させればよい。
【００１６】
前記切り替えユニット３３は、ソケット位置決めユニット３１の連通穴３１４から収容空間３１３に突出するように、回動ユニット３２の収容穴３２３に嵌め込まれると共に、チューブ３３１と、ばね３３２と、ボール３３３とを備え、そのうちチューブ３３１は、円筒状を呈し、一端にばね凹部３３１１が凹設される共に、他端にボール凹部３３１２が凹設され、ばね凹部３３１１を有する端を介して回転ロッド３２２の収容穴３２３に挿設される。また、前記ばね３３２は、ばね凹部３３１１に収容されると共に、一端が回転ロッド３２２に、他端がチューブ３３１に当接され、該ボール３３３は、一部がやや突出するように、回転可能にボール凹部３３１２に設置され、または、回転可能にボール凹部３３１２に保持される。
【００１７】
前記爪ブロック３４は、収容空間３１３に位置するように、長いブロックの中心を支点にして揺動可能に枢転ロッド３１５に枢設され、上端及び下端にそれぞれラチェット部材２０の歯面部２１と対応する噛合歯部３４１が形成される。また、前記切り替えユニット３３のボール３３３は、ばね３３２の弾性により爪ブロック３４の内側面に当接される。
【００１８】
本考案に係るラチェットレンチを使用する時は、ソケット固定部材３０の切り替えユニット３３が爪ブロック３４の内側面の一箇所に当接すると、該爪ブロック３４のその箇所の近傍の噛合歯部３４１がラチェット部材２０の歯面部２１に噛合する。
【００１９】
また、図３に示すように、ソケット固定部材３０を時計回りに回転させると、切り替えユニット３３が爪ブロック３４の内側面の上端近傍に当接すると共に、該爪ブロック３４が上端近傍の噛合歯部３４１を介してラチェット部材２０の歯面部２１に噛合されることから、ソケット位置決めユニット３１が時計回りに回転すると、爪ブロック３４を介してラチェット部材２０と係合する状態となる。この時、切り替えユニット３３のボール３３３が爪ブロック３４の内側面に当接するが、そのボール３３３が回転自在に切り替えユニット３３のボール凹部３３１２に設置されていることから、ボール３３３が爪ブロック３４の内側面と接触しながら回転することによって、ボール３３３が爪ブロック３４の内側面と当接する箇所を摩損することが少なくなり、切り替えユニット３３の使用寿命を延長することができる。
【００２０】
一方、図４に示すように、そのラチェットレンチを逆時計回りに回転させると、その切り替えユニット３３が爪ブロック３４の内側面の下端近傍に当接すると共に、該爪ブロック３４が下端近傍の噛合歯部３４１を介してラチェット部材２０の歯面部２１に噛合されることから、ソケット位置決めユニット３１が逆時計回りに回転すると、爪ブロック３４を介してラチェット部材２０と係合する状態となる。この時、切り替えユニット３３のボール３３３が爪ブロック３４の内側面に当接するが、そのボール３３３が回転自在に切り替えユニット３３のボール凹部３３１２に設置されていることから、爪ブロック３４の内側面と接触しながら回転することによって、ボール３３３が爪ブロック３４の内側面と当接する箇所を摩損することが少なくなり、切り替えユニット３３の使用寿命を延長することができる。
【００２１】
上述したように、ソケット固定部材３０の切り替えユニット３３に回転可能なボール３３３を有し、そのボール３３３が回転自在に爪ブロック３４の内側面の所定箇所で当接することから、摩損することはないので、切り替えユニット３３の使用寿命の延長に繋がる。また、その切り替えユニット３３のボール３３３が万一爪ブロック３４の内側面との接触による摩擦により摩損したとしても、単に新たなボール３３３に交換すればよく、ソケット固定部材３０全体を交換する必要はない。
【符号の説明】
【００２２】
１０ 枠体
１１ 固定空間
１２ 止め蓋
１３ 組立開口
２０ ラチェット部材
２１ 歯面部
３０ ソケット固定部材
３１ ソケット位置決めユニット
３１１ 回転軸
３１２ 挿設穴
３１３ 収容空間
３１４ 連通穴
３１５ 枢転ロッド
３１６ ソケット結合部
３２ 回動ユニット
３２１ 回転盤体
３２２ 回転ロッド
３２３ 収容穴
３３ 切り替えユニット
３３１ チューブ
３３１１ ばね凹部
３３１２ ボール凹部
３３２ ばね
３３３ ボール
３４ 爪ブロック
３４１ 噛合歯部
６０ 切り替えユニット
【図１】
0003198017.tif 000003
【図２】
0003198017.tif 000004
【図３】
0003198017.tif 000005
【図４】
0003198017.tif 000006
【図５】
0003198017.tif 000007